(57)【特許請求の範囲】
【請求項１】
内部に集塵部および電動送風機が設けられた掃除機本体と、塵埃を捕捉する床用吸込み具と、一端に前記床用吸込み具が連結される接続パイプ、および一端が取っ手を介して前記接続パイプに連結され他端が前記掃除機本体に連結されるホース部材からなる接続体と、
前記ホース部材の他端に固着された吸塵パイプとその外周に設けた排気管からなり前記掃除機本体に着脱自在に接続される接続具と、該接続具の吸塵パイプと排気管との間に形成され前記電動送風機からの排気が通過する排気通路と、前記掃除機本体に設けられ前記排気通路に前記排気を導く連通路とを備え、
前記排気管の清掃床面と対向しない位置に内外と連通する排気口を設けたことを特徴とする電気掃除機。
【請求項２】
内部に集塵部および電動送風機が設けられた掃除機本体と、塵埃を捕捉する床用吸込み具と、該床用吸込み具により捕捉された塵埃を外気と共に前記集塵部に吸引する接続パイプ、ホース部材から成る接続体と、吸塵パイプとその外周に設けた排気管からなり前記ホース部材の一端に接続されて前記掃除機本体に着脱自在に接続される接続具と、該接続具の吸塵パイプと排気管との間に形成され前記電動送風機からの排気が通過する排気通路と、前記掃除機本体に設けられ前記排気通路に前記排気を導く連通路とを備え、
前記ホース部材を、屈曲自在の軟質材からなり一端が前記接続具の吸塵パイプに固着されて前記掃除機本体の集塵部に連通する吸気ホースと、該吸気ホースの他端に設けられた取っ手と、一端が自由端で他端が前記接続具に固着されて前記吸気ホースの少なくとも一部が内部に収容され、前記吸気ホースとの間に前記排気通路に連通する熱交換通路を形成する屈曲自在の排気ホースとによって構成し、
該排気ホースに、電動送風機からの排気を前記熱交換通路より室内に排出する複数の排風口を設けたことを特徴とする電気掃除機。
【請求項３】
前記排風口を、清掃床面と対向しない位置に設けたことを特徴とする請求項２記載の電気掃除機。
【請求項４】
前記排気ホースの自由端を、取っ手と着脱自在に形成したことを特徴とする請求項２又は３記載の電気掃除機。
【請求項５】
前記排気ホースの内側に吸気ホースが収容され、前記排気ホースと吸気ホースとの間に熱交換通路が形成されるように二重管で構成したことを特徴とする請求項２〜４のいずれかに記載の電気掃除機。
【請求項６】
前記吸気ホースを、その取っ手の吸引口を閉口することにより長軸方向において電動送風機の負圧力により収縮する構成としたことを特徴とする請求項２〜５のいずれかに記載の電気掃除機。
【請求項７】
前記吸気ホースを、その収縮時において排気ホース内に収納されるように構成したことを特徴とする請求項６に記載の電気掃除機。
【請求項８】
前記ホースを、その長軸方向において外力により伸縮自在に構成したことを特徴とする請求項２〜７のいずれかに記載の電気掃除機。
【請求項９】
前記接続パイプに、前記熱交換通路に連通する排気口を設けたことを特徴とする請求項２〜８のいずれかに記載の電気掃除機。
【請求項１０】
室内の浮遊する塵埃を外気と共に吸引する外気吸込口を接続パイプに設け、前記外気を少なくとも床用吸込み具を介して集塵部に吸引させることを特徴とする請求項１〜９のいずれかに記載の電気掃除機。
【請求項１１】
接続体より排出される排気を、電動送風機の電動機を冷却しない排気としたことを特徴とする請求項１〜１０のいずれかに記載の電気掃除機。
【請求項１２】
掃除機本体の底部に、電動送風機からの排気により前記掃除機本体を床面より浮上させるスカート、排気入口等からなる浮上部材を設け、
前記排気は、前記浮上部材により掃除機本体を浮上後又は浮上と共に接続体の排気口より室内に排出されることを特徴とする請求項１〜１１のいずれかに記載の電気掃除機。
【発明の詳細な説明】
【０００１】
【発明の属する技術分野】
本発明は電気掃除機に係り、さらに詳しくは、電気掃除機本体内に内蔵された電動送風機からの排気の温度を低温化し、かつ電動送風機から発生する騒音を低減する電気掃除機の低温化構造および消音構造に関するものである。
また、本発明は、電気掃除機本体の浮上構造及び電気掃除機本体と床用吸込み具を接続する接続体に関するものである。
【０００２】
【従来の技術】
電動送風機の騒音の消音構造を備えた電気掃除機の一例として、特開平３−５５０２０号公報に開示された発明があり、図１２にその電気掃除機の要部の断面図を示す。
【０００３】
図において、５０は底面に移動用車輪５１を有し、内部に電動送風機５２等が内蔵された電気掃除機の本体で、後面に排気口５３に近接してばね式またはスライド式の開閉自在なシャッタ５５を有する窓穴５４が設けられている。５７は隔壁５６の窓穴５４に対向する位置に設けられた排気流路で、内縁にシール用のゴム５８が装着されている。
【０００４】
５９は一端が排気流路５７に挿入され、他端の排出口６０が本体５０の下で、かつ前方に開口するように回転自在および着脱自在に装着された断面ほぼコ字状の消音パイプで、折曲部内面および排出口６０に消音材６１が取り付けられている。なお、矢印は電動送風機５２からの排気の流れを示す。
【０００５】
そして、このように構成した電気掃除機を稼動させると、電動送風機５２から出た空気はすべて消音パイプ５９を通って本体５０外に排出される。このとき、消音パイプ５９は排出口６０までの距離が長く、内部に消音材６１が設けられているため、高速排気流はその消音パイプ５９のマフラー効果によって徐々に減速され、排気の騒音も低減される。また、本体５０の下に位置する排出口６０から利用者の耳までの距離が長くなるとともに、本体５０によって遮音されるので、消音効果が向上する。
【０００６】
【発明が解決しようとする課題】
上記のような従来の電気掃除機は、消音パイプ５９を長くするとともに排出口６０を本体５０の下に位置するようにしたので、電動送風機５２からの排気の騒音が低減される。しかしながら、高出力の電動送風機５２から排出される排気は騒音のみならず温度も高温であり、特に夏場等の室内気温が高い場合には、排気が利用者の肌等に触れたりすると不快感を与えてしまうという問題があった。また、最近では電動送風機５２の高出力化によって消費電力が１ＫＷと高くなり、それに連れて排気温度も上昇して利用者の排気温度に対する不快感が増すという問題もあった。
【０００７】
さらに、排気の騒音を低減するために消音パイプ５９を長く形成しているが、その消音パイプ５９は本体５０の後面側から外部に突出した状態で設けられているため、電気掃除機全体が大型化してしまうとともに、消音パイプ５９の取付作業等も面倒であった。また、消音パイプ５９の排出口６０は、本体５０の下、つまり床面に近いところに位置されているので、排出口６０からの排気によって床面の塵埃を舞い上げてしまうという問題もあった。
【０００８】
本発明は、上記のような課題を解決するためになされたもので、電動送風機からの排気の温度の低温化および排気の騒音の減音化を図り、利用者への不快感を無くすとともに、排気による塵埃の舞い上げを防止して清掃性を高めることのできる電気掃除機を提供することを目的としたものである。
また、本発明は、排気を利用した電気掃除機本体の浮上構造及び電気掃除機本体と床用吸込み具を接続する接続体を改良した電気掃除機を提供することを目的としたものである。
【０００９】
【課題を解決するための手段】
本発明に係る電気掃除機は、内部に集塵部および電動送風機が設けられた掃除機本体と、塵埃を捕捉する床用吸込み具と、一端に前記床用吸込み具が連結される接続パイプ、および一端が取っ手を介して前記接続パイプに連結され他端が前記掃除機本体に連結されるホース部材からなる接続体と、前記ホース部材の他端に固着された吸塵パイプとその外周に設けた排気管からなり前記掃除機本体に着脱自在に接続される接続具と、該接続具の吸塵パイプと排気管との間に形成され前記電動送風機からの排気が通過する排気通路と、前記掃除機本体に設けられ前記排気通路に前記排気を導く連通路とを備え、前記排気管の清掃床面と対向しない位置に内外と連通する排気口を設けたものである。
【００１０】
本発明に係る電気掃除機は、内部に集塵部および電動送風機が設けられた掃除機本体と、塵埃を捕捉する床用吸込み具と、該床用吸込み具により捕捉された塵埃を外気と共に前記集塵部に吸引する接続パイプ、ホース部材から成る接続体と、吸塵パイプとその外周に設けた排気管からなり前記ホース部材の一端に接続されて前記掃除機本体に着脱自在に接続される接続具と、該接続具の吸塵パイプと排気管との間に形成され前記電動送風機からの排気が通過する排気通路と、前記掃除機本体に設けられ前記排気通路に前記排気を導く連通路とを備え、前記ホース部材を、屈曲自在の軟質材からなり一端が前記接続具の吸塵パイプに固着されて前記掃除機本体の集塵部に連通する吸気ホースと、該吸気ホースの他端に設けられた取っ手と、一端が自由端で他端が前記接続具に固着されて前記吸気ホースの少なくとも一部が内部に収容され、前記吸気ホースとの間に前記排気通路に連通する熱交換通路を形成する屈曲自在の排気ホースとによって構成し、該排気ホースに、電動送風機からの排気を前記熱交換通路より室内に排出する複数の排風口を設けたものである。
【００１３】
上記の排風口を、清掃床面と対向しない位置に設けた。
また、上記の排気ホースの自由端を、取っ手と着脱自在に形成した。
さらに、上記の排気ホースの内側に吸気ホースが収容され、前記排気ホースと吸気ホースとの間に熱交換通路が形成されるように二重管で構成した。
【００１４】
上記の吸気ホースを、その取っ手の吸引口を閉口することにより長軸方向において電動送風機の負圧力により収縮する構成とした。
また、上記の排気ホースを、その収縮時において排気ホース内に収縮されるように構成した。
【００１５】
上記の排気ホースを、その長軸方向において外力によい伸縮自在に構成した。
【００１６】
上記の接続パイプに、熱交換通路に連通する排気口を設けた。
また、室内の浮遊する塵埃を外気と共に吸引する外気吸込口を接続するパイプに設け、前記外気を少なくとも床用吸込み具を介して集塵部に吸引させるようにした。
【００１７】
上記の本発明に係る電気掃除機は、接続体より排出される排気を、電動送風機の電動機を冷却しない排気とした。
上記の掃除機本体の底部に、電動送風機からの排気により前記掃除機本体を床面より浮上させるスカート、排気入口等からなる浮上部材を設け、前記排気を、前記浮上部材により掃除機本体を浮上後又は浮上と共に接続体の排気口より室内に排出するようにした。
【００１８】
【発明の実施の形態】
［実施の形態１］
図１は本発明の実施の形態１に係る掃除機本体の縦断面図、図２はその要部の拡大断面図、図３は本発明の実施の形態１の使用状態を示す模式図である。
図において、１は電気掃除機の本体で、床用吸込み具２が接続体６を介して接続されている。この接続体６は、一端に床用吸込み具２が連結される接続パイプ３と、一端が取っ手４を介して接続パイプ３の他端に連結され、他端が本体１に連結されるホース部材５とによって構成されており、接続体６はホース部材５の他端に設けられたラッチ７によって本体１に着脱自在に取り付けられる。
【００１９】
図１において、８は本体１内の前方側に形成された集塵室で、上部に本体１の前方上面を開放する開閉蓋９が設けられている。１３は本体１内の集塵室８の前方に形成された排気前室で、その前面に接続体６のホース部材５の他端側が挿入支持されるホース差込口１４が設けられ、後面に集塵室８に連通する開口部１０が設けられている。そして、開口部１０には集塵室８に収容される通気性を有する集塵袋の如き集塵体１２を備えた厚紙よりなる台紙１１が着脱自在に取り付けられ、台紙１１によって開口部１０が閉塞されるとともに、集塵室８と排気前室１３とが仕切られている。なお、集塵体１２は遠心分離機等により塵埃を捕集するためのサイクロン集塵器等でもよく、その方式には特にこだわらない。また、排気前室１３の前面の隙間等には吸音材１８が取り付けられている。
【００２０】
１５は本体１内に設けられた通気孔を有する仕切壁１５ａによって本体１内の後方側に形成された電動機室で、電動送風機１６が収容されている。１７は本体１内の電動機室１５の後方に形成された排気後室で、その前面に電動機室１５と連通する連通孔１７ａが設けられており、内面には吸音材１８が取り付けられている。１９は本体１内の底部に設けられた連通路で、一端が排気後室１７に連通され、他端が排気前室１３に連通されており、その下部側の内面には吸音材１８が取り付けられている。なお、１ａは前車輪、１ｂは一対の後車輪で、両者１ａ，１ｂとも本体１の下部に取り付けられている。
【００２１】
接続体６のホース部材５は、図３に示すように、屈曲自在の軟質材により構成された吸気ホース２０と、その一端に設けられた取っ手４と、他端に設けられた接続具２１とによって構成されている。この接続具２１は、図１および図２に示すように、一端のホース吸気口２２ａ側に吸気ホース２０の端部が嵌入して固着され、他端のホース排気口２２ｂが台紙１１を貫通して集塵体１２内に挿入される吸塵パイプ２３と、吸塵パイプ２３の外周部の吸気ホース２０が固着された端部近傍から接続具２１をホース差込口１４に挿着したときに排気前室１３内に位置する部分まで形成され、排気前室１３側の端部に排気前室１３に連通する排気入口２４を有し、吸塵パイプ２３の外周壁との間に排気通路２５を形成する排気管２６と、排気管２６の上部にばね２８により上下動自在に支持され、本体１のホース差込口１４にホース部材５（接続具２１）を着脱自在に接続するラッチ７を有するラッチ部２９とによって構成されている。
【００２２】
また、排気管２６の吸気ホース２０側および周壁には排気通路２５と本体１外を連通する複数の排気口２７が設けられており、各排気口２７はそこから排出される排気が直接床面Ｘに吹き付けられない位置に設けられている。そして、吸塵パイプ２３のホース排気口２２ｂ側の外周には、後面側が台紙１１に弾接し、台紙１１に設けられた貫通穴をシールするシール部材３０が設けられており、排気管２６の排気通路２５の内面には吸音材を兼ねた排気フィルター３１が取り付けられている。なお、図１および図２の矢印Ａは本体１等における空気（排気）の流れを示す。
【００２３】
このように構成した実施の形態１においては、本体１のホース差込口１４に床用吸込み具２を連結した接続体６のホース部材５の接続具２１を接続して、接続体６の取っ手４の近傍に設けられた電源スイッチ（図示せず）を入れ、電動送風機１６を駆動させると、室内の空気は、床面Ｘ上の塵埃とともに床用吸込み具２から接続パイプ３およびホース部材５からなる接続体６を介して本体１内に吸い込まれ、さらに塵埃のみ集塵体１２に捕獲される。このとき、塵埃とともに本体１内に吸い込まれた空気（以下、吸塵空気という）は、集塵体１２で清浄化されて電動送風機１６内に入り、電動送風機１６を冷却して高温排気となって排気後室１７に送られる。ついで、高温排気は連通路１９を通って排気前室１３に送られ、排気管２６の排気通路２５を通って排気口２７から室内に排出される。
【００２４】
このとき、高温排気は連通路１９、特に集塵室８に対応する連通路１９および内部を吸塵空気が通過している接続具２１の吸塵パイプ２３などによって熱交換され、室温に近い温度に下げられてから室内に排出される。また、排気管２６に設けられた各排気口２７は排出される排気が直接床面Ｘに吹き付けられない位置に設けられているため、室温に下げられた排気によって床面Ｘ上の塵埃を舞い上げることはない。さらに、電動送風機１６からの高速排気流は、排気後室１７、連通路１９、排気前室１３および排気通路２５のマフラー効果によって除々に減速されるとともに、これらに取り付けられた吸音材１８および排気フィルター３１によって排気の騒音は低減される。
【００２５】
このように、本体１内に排気後室１７、連通路１９および排気前室１３を設けるとともに、本体１に床用吸込み具２を接続する接続体６のホース部材５の接続具２１を２重管に形成してその一方を排気管２６とし、本体１内に塵埃とともに吸い込まれて電動送風機１６を冷却して高温となった空気（高温排気）を、排気後室１７、連通路１９、排気前室１３および排気管２６（排気通路２５）を介して排気口２７から室内に排出するのようにしたので、連通路１９および接続具２１の２重管の他方で内部を吸塵空気が通過する吸塵パイプ２３等によって、高温排気を熱交換して室温に近い温度に下げて排出することができ、排気の低温化を図ることができる。これにより、排出された排気が利用者の肌等に触れても不快感を与えることおそれはない。
【００２６】
また、排気口２７をそこから排出される排気が直接床面Ｘに吹き付けられない位置に設けたので、室温近くに下げられた排気による床面Ｘ上の塵埃の舞い上げを防ぐことができ、清掃性の高い電気掃除機を得ることができる。
【００２７】
さらに、排気は、排気後室１７、連通路１９、排気前室１３および排気管２６（排気通路２５）を通って排出されるとともに、これらに吸音材１８および排気フィルター３１を取り付けたので、これらを通過する排気の騒音の減音化を図ることができ、静音性の高い電気掃除機を得ることができる。
【００２８】
［実施の形態２］
図４は本発明の実施の形態２の要部の拡大断面図で、この実施の形態２は、実施の形態１に係る接続体６のホース部材５の接続具２１において、吸気ホース２０の端部が固着された固着部を省略して吸気ホース２０の端部を吸塵パイプ２３のホース吸気口２２ａ側の内周部に固着するとともに、筒状に形成された排気管２６のホース吸気口２２ａ側でかつ吸気ホース２０の端部の外周部側に、その内部に吸気ホース２０が収納される所定の長さを有し、軸方向に伸縮自在な軟質材によって構成された排気ホース３２を設けたものである。
【００２９】
排気ホース３２は、一端が排気管２６の排気入口２４と対向する端部である排気出口３３側の内周部に固着され、他端にその他端が固着されほぼ中心部に吸気ホース２０が挿通する挿通穴３４ａを有する平面ほぼ矩形状の端板３４が設けられており、排気ホース３２を吸気ホース２０に沿って伸ばすことにより、吸気ホース２０との間に排気通路２５に連通する熱交換通路３５が形成される。また、排気ホース３２の周壁には熱交換路３５と本体１外（したがって室内）とを連通する排風口３６ａが設けられ、吸気ホース２０と挿通穴３４ａの周縁との間にはその隙間によって形成される排風口３６ｂが設けられている。そして、排風口３６ａ，３６ｂは、そこから排出される排気が直接床面Ｘに吹き付けられない位置に設けらていおり、端板３４に近接して設けることが望ましい。また、各排風口３６ａ，３６ｂを全て合わせた開口面積は、吸気ホース２０の縦断面開口面積よりも大きく形成され、排気流の速度が減速されるようになっている。なお、この実施の形態２では排気管２６の排気口２７は省略されている。
【００３０】
上記の排気ホース３２に形成される排風口３６ａ，３６ｂは、開口部を細かいメッシュ状に形成してもよい。
また、排気ホース３２全体をメッシュ状に形成してもよい。すなわち、全体を通気材で構成することがより望ましく、その場合は、床面Ｘ側にコーティング処理などを施して非通気性とすれば、排出される排気による床面Ｘ上の塵埃等の舞い上りを防止することができる。なお、排気ホース３２に設ける排風口３６ａ，３６ｂは、掃除機本体１より遠い位置に、すなわち、取っ手４に近づくにしたがってその開口面積や数を増やすことにより、排気による床面からの塵埃の舞い上りを防止するようにしてもよい。排風口３６ａ，３６ｂをメッシュ状にした場合でも、その開口面積を変化させれば同様の効果が得られる。なお、上記のように構成しても、使用時には取っ手４は床面から遠い位置になるので、床面に対する影響はほとんどない。
【００３１】
このように構成した本実施の形態においても、実施の形態１で説明した場合と同様に、床用吸込み具２から接続体６を介して塵埃とともに本体１内に吸い込まれた空気（吸塵空気）は、集塵体１２で清浄化されて電動送風機１６に入り、電動送風機１６を冷却して高温排気となって排気後室１７に送られる。ついで、高温排気は、連通路１９、排気前室１３および排気管２６の排気通路２５を通って排気ホース３２の熱交換通路３５に送られ、排風口３６ａ，３６ｂから室内に排出される。
【００３２】
このとき、高温排気は、排気後室１７、連通路１９、排気前室１３および排気通路２５を通過する際に熱交換されて室温に近い温度に下げられるとともに、熱交換通路３５の通過時において、内部を吸塵空気が通過している吸気ホース２０によって熱交換され、さらに室温に近い温度に下げられてから室内に排出される。また、吸塵空気流に伴って発生する吸気音（騒音）は、排気が通過する排気通路２５および熱交換通路３５とその排気流とによって遮蔽され、減音される。さらに、排気ホース３２に設けられた排風口３６ａ，３６ｂは排出される排気が直接床面Ｘに吹き付けられない位置に設けられているため、室温近くに下げられた排気によって床面Ｘ上の塵埃を舞い上げることはない。また、電動送風機１６からの高速排気流は、排気後室１７、連通路１９、排気前室１３、排気通路２５および熱交換通路３５のマフラー効果によって除々に減速されるとともに、排気後室１７、連通路１９、排気前室１３および排気管２６に取り付けられた吸音材１８および排気フィルター３１によって排気の騒音は低減される。なお、排気ホース３２の内周面に排気フィルター３１を設ければ、静音効果をより高めることができる。
【００３３】
このように、本体１内に排気後室１７、連通路１９および排気前室１３を設けるとともに、本体１に床用吸込み具２を接続する接続体６のホース部材５の接続具２１に、不使用時には吸気ホース２０を収納し、使用時には吸気ホース２０との間に熱交換通路３５を形成する排気ホース３２を設けたので、排気後室１７、連通路１９、排気前室１３および排気通路２５によって高温排気を熱交換して室温に近い温度に下げるとともに、熱交換通路３５において、ある程度室温に近い温度に下げられた排気を内部を吸塵空気が通過する吸気ホース２０によって熱交換することができ、より室温に近い温度に下げて排出することができ、また、排気が熱交換される熱交換通路３５をより長く形成することで排気の低温化を確実に図ることができる。これにより、利用者に排気温度に対する不快感を与えるおそれのない電気掃除機を得ることができる。また、不使用時には排気ホース３２内に吸気ホース２０を収納できるので、吸気ホース２０のコンパクト化が図れ、不使用時の電気掃除機の収納性を高めることができる。
【００３４】
また、接続具２１に排気ホース３２を設けたので、吸気ホース２０とともに２重管を形成することができ、吸塵空気流に伴って発生する騒音を排気が通過する排気管２６の排気通路２５および排気ホース３２の熱交換通路３５とその排気流とによって遮蔽することができる。これにより、騒音を減音することができ、静音性の高い電気掃除機を得ることができる。
【００３５】
さらに、排風口３６ａ，３６ｂをそこから排出される排気が直接床面Ｘに吹き付けられない位置でかつ端板３４に近接して設けたので、室温近くに下げられた排気による床面Ｘ上の塵埃の舞い上げを防ぐことができ、清掃性の高い電気掃除機を得ることができる。また、各排風口３６ａ，３６ｂを全て合わせた開口面積を、吸気ホース２０の縦断面開口面積よりも大きく形成したので、排気流の速度を減速することができ、排気の騒音の減音化が図れ、騒音による不快感を減少させることができる。
【００３６】
［実施の形態３］
図５は本発明の実施の形態３に係る掃除機本体の縦断面図である。なお、実施の形態１，２と同じ部分にはこれと同じ符号を付し、説明を省略する。
図において、１６ａは内部に電動送風機１６の送風用ファン（図示せず）が収用された送風用ファンケースで、外周には複数の排気口１６ｂが設けられており、支持部材１５ｂにより仕切り壁１５ａに近接して電動機室１５内に設置されている。１７ｂは電動機室１５と排気後室１７との間に設けられた隔壁、１８ａは電動送風機１６の電動機の周囲を包囲して設けられた吸音材である。
【００３７】
本体１の底部に設けられた連通路１９は、電動機室１５の底板と底部との間に設けられた通気口を有する隔壁１９ｂによって連通路１９と後部連通路１９ａとに分けられており、連通路１９は隔壁１９ｃに設けた排気口を介して排気前室１３に連通し、また送風用ファンケース１６ａの排気口１６ｂとは、電動機室１５の底板に設けた排気口１５ｃにより連通している。
また、後部連通路１９ａは、排気口を介して電動機室１５及び排気後室１７と連通している。なお、１ｄは本体１の後壁に設けた本体排気口である。
【００３８】
上記のように構成した本実施の形態において、床用吸込み具２から吸い込まれた塵埃を含む空気は、接続体６を介して本体１内に吸い込まれ、塵埃のみが集塵体１２内に捕獲される。一方、塵埃と共に本体１内に吸い込まれた空気は、集塵体１２で清浄化されて送風用ファンケース１６ａ内に入り、その一部は排気口１６ｂから排出され、排気口１５ｃから連通路１９内に排出される。そして、隔壁１９ｃの排気口、排気前室１３、排気通路２５、排気口２７を経て排気ホース３２の熱交換通路３５に送られ、排風口３６ａ，３６ｂから室内に排出される。
【００３９】
また、送風用ファンケース１６ａ内に入った空気の一部は電動機側に分流し、電動機を冷却して高温排気となり、その排気口から吸音材１８ａを通過して底板に設けた排気口から後部連通路１９ａに送り込まれ、排気後室１７を経て本体排気口１ｄから室外に排出される。なお、送風用ファンケース１６ａの排気の一部は、隔壁１９ｂに設けた通気口から後部連通路１９ａに分流し、電動機室１５からの高温排気に合流してこれを冷却し、本体排気口１ａからの排気を低温化する。
【００４０】
本実施の形態によれば、集塵室８からの排気を送風機用ファンケース１６ａで分流することにより、排気ホース３２の排風口３６ａ，３６ｂから排出される排気は、高温化されないので使用者に不快感を与えることがなく、また、排気ホース３２までの排気通路が長く形成されているので静音化を図ることができる。さらに、排気を分流することで、排気ホース３２や本体排気口１ａから排出される排気量が分散されるため排気速度が低下し、騒音をさらに低減することができる。なお、上記の説明では、電動送風機１６のファンを送風用ファンケース１６ａ内に収用した場合を示したが、吸塵用ファンと電動機冷却用ファンとを別に設けてもよく、この場合も同様の効果を得ることができる。
【００４１】
［実施の形態４］
図６は本発明の実施の形態４に係る掃除機本体の縦断面図、図７は本発明に係る浮上部材を備えた掃除機本体の縦断面図およびその作用説明図である。本実施の形態は、実施の形態１に係る本体１において、その底部の連通路１９のほぼ中間部および排気前室１３に対応する位置に、本体１外と連通する開口部３７ａ，３７ｂを設け、その開口部３７ａ，３７ｂに対応する位置に開放すると連通路１９が本体１の外部と連通して連通路１９の一部を閉塞し、閉塞すると連通路１９の本体１の外部との連通が遮断する切換弁３８ａ，３８ｂをそれぞれ設けるとともに、本体１の底部に、切換弁３８ａ，３８ｂを開放させ、本体１内からの排気圧によって本体１を浮上させる浮上部材３９を着脱自在に設けたものである。
【００４２】
浮上部材３９は、その本体部の平面形状が本体１の底部にほぼ対応する形状で、周縁部に本体１の側部下方に嵌合する周壁４０が立設されており、周壁４０の内周面に本体１の側部に設けた係合部１ｃに係合する係止突起４０ａが設けられている。そして、浮上部材３９を本体１の底部に装着したときの本体部の切換弁３８ａ，３８ｂに対応する位置に、切換弁３８ａ，３８ｂをそれぞれ連通路１９側に押し上げ、開口部３７ａ，３７ｂを開放して本体１外と連通させ開口部３７ａと開口部３７ｂの間の連通路１９を閉塞する突出部４１ａ，４１ｂと、開口部３７ａ，３７ｂに連通する排気穴４２ａ，４２ｂがそれぞれ設けられており、排気穴４２ａの下部には本体１内からの排気を本体１外の後方へ導く排気入口４３が設けられ、排気穴４２ｂの下部外周部には排気穴４２ｂに連通し本体１外の排気を排気前室１３へ導く軟質材で筒状の排気出口４４が設けられている。また、浮上部材３９の本体部の下面周縁部には、前車輪１ａ、後車輪１ｂ、排気入口４３および排気出口４４等を取り囲み、本体１と床面Ｘとの間の空間によって外部排気通路４６を形成する軟質材のスカート４５が設けられており、本体１が排気圧によって浮上したときにスカート４５の下端部側に弛みが生じる長さに形成されている。
【００４３】
このように構成した本実施の形態においては、まず、図７に示すように、浮上部材３９を本体１の底部に装着し、その突出部４１ａ，４１ｂによって切換弁３８ａ，３８ｂを押し上げて開口部３７ａ，３７ｂを開放する。ついで、電動送風機１６を駆動して掃除を開始すると、室内の空気が床面Ｘ上の塵埃とともに床用吸込み具２から接続体６を介して本体１内に吸い込まれ、塵埃のみ集塵体１２に捕獲される。そして、本体１内に吸い込まれた吸塵空気は、集塵体１２で清浄化されて電動送風機１６内に入り、電動送風機１６を冷却して高温排気となって排気後室１７に送られる。ついで、連通路１９に送られた高温排気は、その連通路１９の途中で開放された開口部３７ａ、排気穴４２ａおよび排気入口４３を通って外部排気通路４６に送られる。このとき、本体１からの高温排気は、浮上部材３９のスカート４５によって囲まれている外部排気通路４６に排出されることにより一定の圧力を生じ、本体１は浮上する。浮上した本体１は軽くなり電気掃除機の走行性をよくする。また、スカート４５は、外部排気通路４６に排出された排気によるその床面Ｘ上の塵埃のスカート４５外へのまき散らしを防ぐ。
【００４４】
次に、一旦外部排気通路４６に排出された高温排気は、外部排気通路４６で熱交換されて低温化した後、排気出口４４から排気穴４２ｂおよび開口部３７ｂを通って排気前室１３に送られ、排気管２６の排気通路２５を通って排気口２７から室内に排出される。このとき、外部排気通路４６で低温化された排気は、内部を吸塵空気が通過している接続具２１の吸塵パイプ２３などによってさらに熱交換され、より室温に近い温度に下げられてから室内に排出される。
【００４５】
なお、浮上部材３９を装着せずに掃除を行う場合は、図６に示すように、切換弁３８ａ，３８ｂによって開口部３７ａ，３７ｂが閉塞されるので、実施の形態１とほぼ同じ作用および効果が得られる。
【００４６】
このように、本体１の底部に、切換弁３８ａ，３８ｂを開放させ、本体１内からの排気圧によって本体１を浮上させるとともに、本体１の底部と床面Ｘとの間に外部排気通路４６を形成する浮上部材３９を装着するようにしたので、広い空間である外部排気通路４６によって高温排気を効率よく熱交換して低温化することができ、吸塵パイプ２３等による熱交換とともにより室温に近い温度に下がった排気の排出を行うことができる。これにより、利用者に排気温度に対する不快感を与えるおそれのない電気掃除機を得ることができる。また、浮上部材３９によって本体１を浮上させることができ、使用時の本体１を軽くしてその走行性をよくすることができる。
【００４７】
図８は本実施の形態の他の例の掃除機本体の縦断面図で、図には前車輪及び後車輪は省略してある。なお、実施の形態３（図５）及び図５、図６と同じ部分にはこれと同じ符号を付し、説明の一部を省略する。
本例の本体１の底部には、連通路１９に連通し、開閉弁３８ｃで開閉される排気入口３７ｃが設けられている。
【００４８】
また、浮上部材３９の排気入口３７ｃに対応する位置には、開閉弁３８ｃを開閉する操作突起３９ａが設けられており、その底部には外方に傾斜した複数の静圧口３９ｂが設けられて、本体１の底部との間に均圧室４７を形成している。なお、開閉弁３８ｃは常時は排気入口３７ｃを閉塞しているが、本体１の底部に浮上部材３９を装着すると、操作突起３９ａが開閉弁３８ｃを押し上げて排気入口３７ｃを開放する。また、スカート４５の中央部には大きな開口部４５ａが設けられており、その外周が浮上部材３９に装着されて、浮上部材３９と床面Ｘとの間に浮上空間４８が形成される。
【００４９】
上記のように構成した本例においては、電動送風機１６を冷却した排気は、連通孔１７ａ、排気後室１７を経て連通路１９に送られ、排気前室１３、排気通路２５、排気口２７を経て排気ホース３２の排風口３６ａ，３６ｂから室内に排出される。
また、連通路１９内の排気の一部は、電動送風機１６の圧力により排気入口３７ｃから均圧室４７に分流して均圧化され、静圧となって静圧口３９ｂから浮上空間４８内に流入し、浮上空間４８内の圧力を上昇させて本体１を浮上させる。そしてスカート４５は浮上空間４８内の圧力により床面Ｘに圧着される。
このとき、浮上空間４８には静圧が働き、その中の塵埃等は連通路１９に侵入しないので、排気ホース３２の排風口３６ａ，３６ｂから塵埃等が排出したりフィルタが目詰りするようなことはない。
【００５０】
掃除が終って電動送風機１６が停止すると、連通路１９内の排気が無くなって無圧状態になるので、浮上空間４８内の排圧は静圧口３９ｂ、排気入口３７ｃ、連通路１９を経て排気ホース３２の排風口３６ａ，３６ｂから排出され、本体１は下降する。
なお、浮上部材３９を装着せずに掃除を行う場合は、開閉弁３８ｃが排気入口３７ｃを閉塞するので、実施の形態１，２の場合とほぼ同様に掃除を行うことができる。
本例においても、図６、図７の場合と同様の効果を得ることができる。
【００５１】
［実施の形態５］
図９は本発明の実施の形態５に係る電気掃除機の説明図である。なお、実施の形態１〜４と同じ部分にはこれと同じ符号を付し、説明を省略する。
図９において、４ａは接続体６の取っ手４の吸気ホース２０の接続部に設け排気ホース３２の嵌合固定部、３２ａは伸縮自在の排気ホース３２の自由端に設けられ、取っ手４の嵌合固定部４ａに着脱自在に嵌合されて固定される嵌合部である。なお、排気ホース３２には、実施の形態２で説明したように、複数の排風口３６ａ，３６ｂが設けられており、また、接続パイプ３には、接続パイプ３とは独立し、排気ホース３２を取っ手４に連結したときにその熱交換通路３５と連通する排気口３ａが設けられている。
【００５２】
上記のように構成した本実施の形態において、図９（ａ）に示すように、排気ホース３２を収縮した状態で取っ手４の近傍に設けた電源スイッチをＯＮすると、実施の形態１，２で説明した場合と同様に、床用吸込み具２から接続体６を介して塵埃ととともに本体１内に吸込まれた空気は、集塵体１２で清浄化されて電動送風機１６に入り、電動送風機１６を冷却して高温排気となり、排気後室１７に送られる。ついで、高温排気は、連通路１９、排気前室１３および排気管１６の排気通路２５を通って排気ホース３２の熱交換通路３５に送られ、排風口３６ａ，３６ｂから室内に排出される。
この場合の作用、効果は実施の形態２の場合とほぼ同様であるが、排気ホース３２が空気ホース２０の全体を覆っていないため、掃除中に吸気ホース２０が屈曲し易く、掃除が楽である。
【００５３】
図９（ｂ）は排気ホース３２を伸張してその嵌合部３２ａを取っ手４に設けた嵌合固定部４ａに嵌合して固定し、吸気ホース２０の全体を覆って二重管としたものである。
この場合の作用、効果も実施の形態２の場合と同様であるが、排気ホース３２が伸張して取っ手４に連結されているので、接続パイプ３に設けた排気口３ａからも排気を排出することができ、さらに、排風口３６ａの面積が拡大されて排気速度が低下するため、静音化をより高めることができる。また、熱交換通路３５を通過する排気と、接続体６内を通過する吸気流との熱交換も有利になり、室内に排出される排気温度をさらに低下させることができる。なお、排気ホース３２に螺旋状のピアノ線等を設けておけば、確実に伸縮することができる。
【００５４】
［実施の形態６］
図１０は本発明の実施の形態６に係る電気掃除機の説明図である。なお、実施の形態５と同じ部分にはこれと同じ符号を付し、説明を省略する。
電気掃除機を用いて掃除を行う場合、床用吸込み具の操作に伴い室内に塵埃が舞い上って空中に浮遊し、掃除をする人がこの塵埃を吸うため、好ましくなかった。本実施の形態はこのような問題を解決するためになされたものである。
【００５５】
図において、３ｂは接続パイプ３の外周に設けた外気吸込み口で、この外気吸込み口３ｂは、接続パイプ３及び排気ホース３２の熱交換通路３５とは独立しており、床用吸込み具２の底部に設けた開口部（図示せず）に連通している。なお、その他の構成は、実施の形態５同様である。
【００５６】
上記のように構成した本実施の形態において、掃除の際排気ホース３２を収納し、又は伸張して取っ手４と連結すること、床用吸込み具２により床面から空気と共に塵埃を吸引して本体１に送り、その排気を排気ホース３２から室内に排出する作用は、実施の形態５の場合と同様である。
本実施の形態においては、このとき室内に舞い上って空中に浮遊する塵埃が、電動送風機１６の吸引力により外気と共に外気吸込み口３ｂから吸引されて床用吸込み具２の下部の床面に衝突し、床面の塵埃を舞上がらせながら床用吸込み具２が吸引した外気と合流し、床面上の塵埃と空気中の塵埃とを接続具６を経て本体１に送り込む。
【００５７】
本実施の形態によれば、掃除の際室内に舞い上って空中に浮遊する塵埃を外気と共に吸引し、床面上の塵埃と共に本体１に送り込まれるので、室内を常に清潔に保つことができ、健康上も有益である。
なお、上記の説明では、外気吸込み口３ｂを、接続パイプ３及び排気ホース３２の熱交換通路３５と独立し、床用吸込み口２に連通させた場合を示したが、床用吸込み具２とは連通せず、接続パイプや取っ手４の吸込み通路に直接連通するように設けてもよい。
【００５８】
［実施の形態７］
図１１は本発明の実施の形態７に係る電気掃除機の要部の説明図である。なお、実施の形態５，６と同じ部分にはこれと同じ符号を付し、説明を省略する。
本実施の形態は、掃除終了後電動送風機１６を停止させる前に、接続パイプ３を取っ手４から外して取っ手４の吸引口４ｂをシート材５０や手などによって閉口する。これにより、伸縮自在の吸気ホース２０に負圧がかかり、吸気ホース２０が収縮して排気ホース３２内に収納される。そして、図１１（ｂ）に示すように、取っ手４の嵌合固定部４ａを排気ホース３２の嵌合部３２ａに嵌合するようにしたものである。勿論、電動送風機１６を停止させたのち接続パイプ３を取っ手４から外し、電動送風機１６を再起動させてもよい。
【００５９】
電気掃除機を再使用する場合は、排気ホース３２と取っ手４との嵌合を外せば、吸気ホース２０はそのばね力により、図１１（ａ）に示すように再び伸張する。
本実施の形態によれば、長い吸気ホース２０が短縮されてコンパクト化されるので、本体１を保管、格納する際に便利である。
【００６０】
以上本発明の実施の形態について説明したが、本発明はこれに限定するものではなく、各実施の形態を適宜組合わせて実施することができる。
【００６１】
【発明の効果】
本発明は、内部に集塵部および電動送風機が設けられた掃除機本体と、塵埃を捕捉する床用吸込み具と、該床用吸込み具により捕捉された塵埃を外気と共に前記集塵部に吸引する接続パイプ、ホース部材等から成る接続体と、吸塵パイプとその外周に設けた排気管からなり前記ホース部材の一端に接続されて前記掃除機本体に着脱自在に接続される接続具と、該接続具の吸塵パイプと排気管との間に形成され前記電動送風機からの排気が通過する排気通路と、前記掃除機本体に設けられ前記排気通路に前記排気を導く連通路とを備え、前記排気通路の清掃床面に吹き付けられない位置に内外と連通する排気口を設けたので、電動送風機を冷却して高温となった排気を、連通路および排気通路において熱交換して低温化を図ることができるとともに、排気流を連通路および排気通路のマフラー効果によって除々に減速させて排気の騒音の減音化を図ることができ、排出される排気の利用者への不快感を抑えることができる電気掃除機が得られる。
【００６４】
本発明は、内部に集塵部および電動送風機が設けられた掃除機本体と、塵埃を捕捉する床用吸込み具と、該床用吸込み具により捕捉された塵埃を外気と共に前記集塵部に吸引する接続パイプ、ホース部材等から成る接続体と、該接続体に設けられ前記電動送風機からの排気を導く排気通路と、前記掃除機本体に設けられ前記排気通路に前記排気を導く連通路とを備え、前記ホース部材を、屈曲自在の軟質材からなり掃除機本体の集塵部に連通する吸気ホースと、該吸気ホースの一端に設けられた取っ手と、他端に設けられた接続具と、一端が自由端で他端が前記接続具に固着されて前記吸気ホースの少なくとも一部が内部に収容され、前記吸気ホースとの間に前記排気通路に連通する熱交換通路を形成する屈曲自在の排気ホースとによって構成し、該排気ホースに、電動送風機からの排気を前記熱交換通路より室内に排出する複数の排風口を設けたので、電動送風機の冷却によって高温となった排気が掃除機本体以外に排出されるまでの距離を長くすることができ、高温の排気の低温化を確実に図ることができる。これにより、排出される排気の使用者への不快感を無くすことができる。また、吸気ホースを通過する吸塵空気流に伴って発生する騒音を排気が通過する排気通路および熱交換通路とその排気流によって遮蔽することができ、騒音の減音化を図ることができる。これにより、静音性の高い電気掃除機を得ることができる。
【００６５】
上記の排風口を清掃床面と対向しない位置に設けたので、排風口から排出される排気による床面上の塵埃が舞い上がるのを防止することができる。
【００６６】
上記の排気ホースの自由端を取っ手と着脱自在に形成し、
また、排気ホースの内側に吸気ホースが収容され、排気ホースと吸気ホースとの間に熱交換通路が形成されるように二重管で構成したので、必要に応じて排気ホースを取っ手に接続して二重管構造とすることにより、電動送風機によって高温になった排気を長い熱交換通路で熱交換して低温化することができ、排気による使用者の不快感をなくすことができる。
【００６７】
上記の吸気ホースを、その取っ手の吸引口を閉口することにより長軸方向において電動送風機の負圧力により収縮する構成とし、
さらに、排気ホースを、その長軸方向において外力により伸縮自在に構成し、
また、吸気ホースを、その収縮時において排気ホース内に収納しうるように構成したので、熱交換通路の長さを任意に変更することができ、また必要に応じて吸気ホースを排気ホース内に収縮すれば、掃除機本体がコンパクト化されて保管、格納等の場合に便利である。
【００６８】
上記の接続パイプに、前記熱交換通路に連通する排気口を設けたので、排気通路が長くなって排気の熱交換がさらに有利となり、排気温度をさらに低下させることができる。
【００６９】
室内の浮遊する塵埃を外気と共に吸引する外気吸込口を接続するパイプに設け、外気を少なくとも床用吸込み具を介して集塵部に吸引させるようにしたので、室内を常に清潔に保つことができ、健康上も有効である。
【００７０】
上記の接続体より排出される排気を、電動送風機の電動機を冷却しない排気としたので、使用者の近傍には室温とほぼ等しい温度の排気が排出されるため、使用者に不快感を与えることがない。
上記の掃除機本体の底部に、電動送風機からの排気により前記掃除機本体を床面より浮上させるスカート、排気入口等からなる浮上部材を設け、前記排気を、前記浮上部材により掃除機本体を浮上後又は浮上と共に接続体の排気口より室内に排出するようにしたので、電動送風機の冷却によって高温になった排気を浮上部材や床面により効率よく低温化することができ、室温に近い温度の排気を排出することができる。
また、排気を利用して掃除機本体を浮上させるようにしたので、使用時の掃除機本体を軽くしてその走行性を向上させることができる。
【図面の簡単な説明】
【図１】  本発明の実施の形態１に係る掃除機本体の縦断面図およびその作用説明図である。
【図２】  図１の要部の拡大断面図およびその作用説明図である。
【図３】  本発明の実施の形態１の使用状態を示す模式図である。
【図４】  本発明の実施の形態２の要部の拡大断面図および作用説明図である。
【図５】  本発明の実施の形態３に係る掃除機本体の縦断面図およびその作用説明図である。
【図６】  本発明の実施の形態４に係る掃除機本体の縦断面図およびその作用説明図である。
【図７】  実施の形態４に係る浮上部材を備えた掃除機本体の縦断面図およびその作用説明図である。
【図８】  実施の形態４の他の例の浮上部材を備えた掃除機本体の縦断面図およびその作用説明図である。
【図９】  本発明の実施の形態５に係る電気掃除機の説明図およびその作用説明図である。
【図１０】  本発明の実施の形態６に係る電気掃除機の説明図およびその作用説明図である。
【図１１】  本発明の実施の形態７に係る電気掃除機の説明図およびその作用説明図である。
【図１２】  従来の電気掃除機の要部の断面図である。
【符号の説明】
１  本体、１ｄ  本体排気口、２  床用吸込み具、３  接続パイプ、４  取っ手、５  ホース部材、６  接続体、８  集塵室、１２  集塵袋、１５  電動機室、１５ｃ  排気口、１６  電動送風機、１６ａ  送風用ファンケース、１６ｂ  排気口、１８  吸音材、１９  連通路、１９ａ  後部連通路、２０  吸気ホース、２１  接続具、２３  吸塵パイプ、２５  排気通路、２６  排気管、２７  排気口、３１  排気フィルター、３２  排気ホース、３５  熱交換通路、３６ａ，３６ｂ  排風口、３７ａ，３７ｂ  開口部、３８ａ，３８ｂ  切換弁、３８ｃ  開閉弁、３９  浮上部材、３９ａ  操作突起、３９ｂ  静圧口、４０  周壁、４１ａ，４１ｂ  突出部、４３  排気入口、４４  排出出口、４５  スカート、４６  外部排気通路、４７  均圧室、４８  浮上空間、Ｘ  床面。
【図１】
0003968626.tif 000002
【図２】
0003968626.tif 000003
【図３】
0003968626.tif 000004
【図４】
0003968626.tif 000005
【図５】
0003968626.tif 000006
【図６】
0003968626.tif 000007
【図７】
0003968626.tif 000008
【図８】
0003968626.tif 000009
【図９】
0003968626.tif 000010
【図１０】
0003968626.tif 000011
【図１１】
0003968626.tif 000012
【図１２】
0003968626.tif 000013